(57)【要約】【課題】送風機や圧縮機等の故障以外で発生する振動による無駄な異常検出を防止する空気調和機を得る。【解決手段】筐体１，送風機４，圧縮機８，熱交換器３を備える空気調和機において、前記筐体は振動の振幅値及び振動時間を検出する振動センサ１１と、検出された該振幅値と振動時間から前記空気調和機の動作状況を判断する制御装置１２とを備え、前記制御装置に地震検出信号が入力され、該入力時から所定時間を経過した後に前記振動センサで検出された振幅値が予め定めた設定値以上となり、該設定値以上の値を検出した振動時間が予め定めた設定時間以上となった場合に、前記制御手段が前記空気調和機の異常と判断することを特徴とする空気調和機。【選択図】  図３
2010169287.tif 000002
【特許請求の範囲】
【請求項１】
筐体，送風機，圧縮機，熱交換器を備える空気調和機において、
前記筐体は振動の振幅値及び振動時間を検出する振動センサと、
検出された該振幅値と振動時間から前記空気調和機の動作状況を判断する制御装置とを備え、
前記制御装置に地震検出信号が入力され、該入力時から所定時間を経過した後に前記振動センサで検出された振幅値が予め定めた設定値以上となり、該設定値以上の値を検出した振動時間が予め定めた設定時間以上となった場合に、前記制御手段が前記空気調和機の異常と判断することを特徴とする空気調和機。
【請求項２】
筐体，送風機，圧縮機，熱交換器を備える空気調和機において、
前記筐体は振動の振幅値及び振動時間を検出する振動センサと、
検出された該振幅値と振動時間から前記空気調和機の動作状況を判断する制御装置とを備え、
前記振動センサで検出された振幅値が予め定めた設定値以上となり、該設定値以上の値を検出した振動時間の累積合計時間が予め定めた設定時間以上となった場合に、前記制御手段が前記空気調和機の異常と判断することを特徴とする空気調和機。
【請求項３】
請求項２において、前記制御装置に地震検出信号が入力され、該入力時から所定時間を経過した後に前記振動センサで検出された振幅値が予め定めた設定値以上となり、該設定値以上の値を検出した振動時間の累積合計時間が予め定めた設定時間以上となった場合に、前記制御手段が前記空気調和機の異常と判断することを特徴とする空気調和機。
【請求項４】
請求項１乃至３の何れかにおいて、前記振動センサの前記設定値，前記設定時間，前記所定時間を設定変更可能とすることを特徴とする空気調和機。
【発明の詳細な説明】
【技術分野】
【０００１】
本発明は振動センサを備えた空気調和機に関する。
【背景技術】
【０００２】
従来の空気調和機においては、何らかの要因で送風機や圧縮機等回転体を有する機構に異常が発生し、空気調和機が異常振動している場合においても、それを検知する手段を備えていないため、空気調和機は運転を継続し、結果的に送風機および圧縮機の故障に至ってから冷凍サイクル状態の異常（例えば、冷房時、室外機の送風機が故障した場合には、凝縮圧力が異常上昇する）を検知して、空気調和機を停止していた。また、送風機や圧縮機を複数備えている空気調和機においては、１個の送風機又は圧縮機が故障した場合においても、残りの送風機又は圧縮機により冷凍サイクル状態が変化しない場合があり、送風機又は圧縮機が故障していると判断できないまま、空気調和機は停止せず、運転を継続することがあった。
【０００３】
例えば特許文献１のものは、空気調和機の圧縮機の振動を基に圧縮機の寿命を予測する装置が組み込まれ、振動加速度の測定値が許容限界値以上に高くなったとき、その測定値が１０分以上続く場合に警報手段から異常信号を発生する。
【先行技術文献】
【特許文献】
【０００４】
【特許文献１】特開平１０−２８８３７９号公報
【発明の概要】
【発明が解決しようとする課題】
【０００５】
しかし、特許文献１のものは、機器の故障以外において発生する振動（例えば地震や工事現場近隣の住居）を故障と判断してしまうおそれがあり、無駄な異常検出を防止することについては十分考慮されていない。
【０００６】
本発明の目的は、送風機や圧縮機等の故障以外で発生する振動による無駄な異常検出を防止する空気調和機を得ることにある。
【課題を解決するための手段】
【０００７】
前記の課題を解決するために本発明は、筐体，送風機，圧縮機，熱交換器を備える空気調和機において、前記筐体は振動の振幅値及び振動時間を検出する振動センサと、
検出された該振幅値と振動時間から前記空気調和機の動作状況を判断する制御装置とを備え、前記制御装置に地震検出信号が入力され、該入力時から所定時間を経過した後に前記振動センサで検出された振幅値が予め定めた設定値以上となり、該設定値以上の値を検出した振動時間が予め定めた設定時間以上となった場合に、前記制御手段が前記空気調和機の異常と判断することを特徴とする。
【０００８】
また、本発明の他の特徴として、筐体，送風機，圧縮機，熱交換器を備える空気調和機において、前記筐体は振動の振幅値及び振動時間を検出する振動センサと、
検出された該振幅値と振動時間から前記空気調和機の動作状況を判断する制御装置とを備え、前記振動センサで検出された振幅値が予め定めた設定値以上となり、該設定値以上の値を検出した振動時間の累積合計時間が予め定めた設定時間以上となった場合に、前記制御手段が前記空気調和機の異常と判断する。
【０００９】
上記において、前記制御装置に地震検出信号が入力され、該入力時から所定時間を経過した後に前記振動センサで検出された振幅値が予め定めた設定値以上となり、該設定値以上の値を検出した振動時間の累積合計時間が予め定めた設定時間以上となった場合に、前記制御手段が前記空気調和機の異常と判断してもよい。
【００１０】
更に、前記振動センサの前記設定値，前記設定時間，前記所定時間を設定変更可能とするとよい。
【発明の効果】
【００１１】
本発明によれば、送風機や圧縮機等の故障以外で発生する振動による無駄な異常検出を防止することができる。
【図面の簡単な説明】
【００１２】
【図１】空気調和機の斜視図。
【図２】本発明の実施例１のシーケンス図。
【図３】本発明の実施例２のシーケンス図。
【図４】本発明の実施例３のシーケンス図。
【図５】本発明の実施例４のシーケンス図。
【発明を実施するための形態】
【００１３】
以下、本発明の実施例について図面を用いて説明する。
【実施例１】
【００１４】
図１は、空気調和機の室外機の斜視図を示す。室外機においては、機器を構成する筐体１の底面に設けられた吸込口２より空気を吸込み、吸込まれた空気は熱交換器３を通り、熱交換器３によって仕切られた上方の空間に配置された送風機４によって吹出口５より吹出される。送風機４はクランプ６により固定された電動機７によって駆動する。筐体１の底面には冷媒を圧縮・循環させる圧縮機８を備え、また各部品を駆動・制御する制御装置や異常状態を解除するためのボタン９を備えた電気箱１０が配置される。また機器の振動を検知する振動センサ１１が、故障により振動が増大する部品や故障により振動が発生する部品，部位の周辺に数箇所取付けられる。
【００１５】
図２は、振動センサ１１で検出される振動の振幅値が継続して設定値を超えるような場合におけるシーケンス図である。本実施例においては、送風機４の故障による異常振動を検知するのに適している。振動センサ１１は、振動が大きく検知される位置に設置されるのが望ましいため、機器上方の外郭やクランプ６等に取付けられる。振動センサ１１による振幅値が設定値を超えた時点を開始時間として、設定値以上の値を検知した時間ｔ１が、予め設定する設定時間Ｔ１より大きくなった場合には、空気調和機の異常と判断する。異常と判断された空気調和機は、使用者に制御装置１２からの異常信号出力表示により異常を知らせる。また、空気調和機は異常信号を出力しながら運転を継続するか、運転を停止するかを選択可能とする。運転を停止する設定を選択した場合においては、リモートコントローラ等により遠方からの再運転はできないようにしておく事が望ましく、電気箱１０内に備えけられたボタン９を押さない限り再運転は不可能としておくことで、現地確認をしない状態での再運転を防止できる。
【実施例２】
【００１６】
図３は、振動センサ１１で検出される振動の振幅値が継続して設定値を超えるような場合において、地震検出信号が入力された場合におけるシーケンス図である。地震検出信号は、例えば地震検出手段を空気調和機の内外に備え、空気調和機内の制御装置に入力される。地震検出信号が入力された場合は、所定時間Ｔ４の間は振動センサ１１の振幅値が設定値を超えたとしても設定値以上の値を検知した時間ｔ１としてカウントしない。こうしておくことで、地震が原因で設定値を超えた場合に空気調和機が異常と判断することを防止する。なお、前記した振動センサ１１の設定値や各時間（Ｔ１，Ｔ４）は、空気調和機の据付状態や地域環境によって変更可能とする。通常使用する場合には、Ｔ１＞Ｔ４に設定され、Ｔ４は地震の揺れ時間から大体１〜２分程度に設定される。地震検出信号が入力できない空気調和機においては、地震による異常の検出を防止するため、Ｔ１は想定される地震の揺れ時間よりも長く設定する。
【実施例３】
【００１７】
図４は、振動センサ１１で検出される振動の周期が乱れた振動や単発的な振動により設定値を超えるような場合におけるシーケンス図である。本実施例においては、送風機４の故障により振幅を持った異常振動や圧縮機８に異物が混入した時のような単発的に発生する異常振動を検知するのに適している。圧縮機８の異常振動を検知したい場合には、正確に振動が検知できるよう圧縮機８に直接振動センサ１１を取付けるのが望ましい。振動センサ１１が設定値を超えた時点を開始時間として、設定時間Ｔ２の間に設定値以上の値を検知した時間ｔ１ｎ（ｎ＝１，２，３‥）の累積合計時間ｔ２が設定時間Ｔ３より大きくなった場合には、空気調和機の異常と判断する。異常と判断された空気調和機は、使用者に制御装置からの異常信号出力表示により異常を知らせる。また、空気調和機は異常信号を出力しながら運転を継続するか、運転を停止するかを選択可能とする。なお、圧縮機８については、始動時に大きく振動する場合があり、圧縮機８が運転・停止を短時間に繰り返すような（例えば空調負荷が小さくサーモオン／オフを繰り返すような）運転状態の場合には、累積合計時間ｔ２が設定時間Ｔ３より大きくなる可能性がある。そのような運転状態となりうる場合には、設定時間Ｔ３を大きく設定する。
【実施例４】
【００１８】
図５は、実施例４において、地震検出信号が入力された場合におけるシーケンス図である。地震検出信号が入力された場合は、所定時間Ｔ４の間は振動センサ１１で検出される振動の振幅値が設定値を超えたとしても設定値以上の値を検知した時間ｔ１としてカウントしない。ただし、所定時間Ｔ４経過後、まだ設定時間Ｔ２時間内であって、振動センサ１１の値が設定値を超えた場合には、その時間も累積合計時間ｔ２に含める。なお、前記した振動センサ１１の設定値や各時間（Ｔ２，Ｔ３，Ｔ４）は、空気調和機の据付状態や地域環境によって変更可能する。
【符号の説明】
【００１９】
１  空気調和機（筐体）
２  吸込口
３  熱交換器
４  送風機
５  吹出口
６  クランプ
７  電動機
８  圧縮機
９  ボタン
１０  電気箱
１１  振動センサ
１２  制御装置
【図１】
2010169287.tif 000003
【図２】
2010169287.tif 000004
【図３】
2010169287.tif 000005
【図４】
2010169287.tif 000006
【図５】
2010169287.tif 000007